(57)【要約】【課題】  汎用のノンカーボン複写紙に対して各種帳票フォームに応じて複写不可部分を好適に形成することができる印刷装置及びその制御方法並びにプログラムを提供する。【解決手段】  裏面に発色剤が塗布された１枚目のノンカーボン紙と、表面に顕色剤が塗布された２枚目のノンカーボン紙とを発色剤塗布面と顕色剤塗布面とが接触するように丁合して使用するノンカーボン複写紙に帳票フォームを印刷するに際して、１枚目のノンカーボン紙からの複写を禁止する複写禁止領域を２枚目のノンカーボン紙の表面側に設定し、それと面対称を成す領域を１枚目のノンカーボン紙の裏面側に設定し、当該領域に印刷装置に蓄積されているトナーを塗布する。【選択図】  図３
2006185358.tif 000002
【特許請求の範囲】
【請求項１】
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置であって、
前記第１のノンカーボン紙からの複写を禁止する第１の領域を前記第２のノンカーボン紙の前記顕色剤が塗布された面側に設定する第１の設定手段と、
前記第２のノンカーボン紙上の前記第１の領域と面対称を成す第２の領域を前記第１のノンカーボン紙の前記発色剤が塗布された面側に設定する第２の設定手段と、
前記第１のノンカーボン紙の前記発色剤が塗布された面上の前記第２の領域に該印刷装置に蓄積されているトナーを塗布するトナー塗布手段と
を備えることを特徴とする印刷装置。
【請求項２】
前記第１の設定手段によって設定された前記第２のノンカーボン紙の前記顕色剤が塗布された面側の前記第１の領域に、該第２のノンカーボン紙と略同一色の所定模様を形成する色形成手段をさらに備えることを特徴とする請求項１に記載の印刷装置。
【請求項３】
前記第１の設定手段によって設定された前記第２のノンカーボン紙の前記顕色剤が塗布された面側の前記第１の領域に前記印刷装置に蓄積されているトナーを塗布する第２のトナー塗布手段をさらに備えることを特徴とする請求項１又は２に記載の印刷装置。
【請求項４】
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置の制御方法であって、
前記第１のノンカーボン紙からの複写を禁止する第１の領域を前記第２のノンカーボン紙の前記顕色剤が塗布された面側に設定する第１の設定工程と、
前記第２のノンカーボン紙上の前記第１の領域と面対称を成す第２の領域を前記第１のノンカーボン紙の前記発色剤が塗布された面側に設定する第２の設定工程と、
前記第１のノンカーボン紙の前記発色剤が塗布された面上の前記第２の領域に該印刷装置に蓄積されているトナーを塗布するトナー塗布工程と
を有することを特徴とする制御方法。
【請求項５】
前記第１の設定工程によって設定された前記第２のノンカーボン紙の前記顕色剤が塗布された面側の前記第１の領域に、該第２のノンカーボン紙と略同一色の所定模様を形成する色形成工程をさらに有することを特徴とする請求項４に記載の制御方法。
【請求項６】
前記第１の設定工程によって設定された前記第２のノンカーボン紙の前記顕色剤が塗布された面側の前記第１の領域に前記印刷装置に蓄積されているトナーを塗布する第２のトナー塗布工程をさらに有することを特徴とする請求項５又は６に記載の制御方法。
【請求項７】
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷装置に印刷させるためのプログラムであって、
前記第１のノンカーボン紙からの複写を禁止する第１の領域を前記第２のノンカーボン紙の前記顕色剤が塗布された面側に設定する第１の設定手順と、
前記第２のノンカーボン紙上の前記第１の領域と面対称を成す第２の領域を前記第１のノンカーボン紙の前記発色剤が塗布された面側に設定する第２の設定手順と、
前記第１のノンカーボン紙の前記発色剤が塗布された面上の前記第２の領域に該印刷装置に蓄積されているトナーを塗布するトナー塗布手順と
を実行させるためのプログラム。
【請求項８】
前記第１の設定手順によって設定された前記第２のノンカーボン紙の前記顕色剤が塗布された面側の前記第１の領域に、該第２のノンカーボン紙と略同一色の所定模様を形成する色形成手順をさらに実行させることを特徴とする請求項７に記載のプログラム。
【請求項９】
前記第１の設定手順によって設定された前記第２のノンカーボン紙の前記顕色剤が塗布された面側の前記第１の領域に前記印刷装置に蓄積されているトナーを塗布する第２のトナー塗布手順をさらに実行させることを特徴とする請求項７又は８に記載のプログラム。
【発明の詳細な説明】
【技術分野】
【０００１】
本発明は、複写伝票等に利用されるノンカーボン複写紙に帳票フォームを印刷する印刷装置及びその制御方法並びにプログラムに関する。
【背景技術】
【０００２】
従来から、特定領域に文字等を記入して複写させるために各種帳票フォームが形成されたノンカーボン複写紙が知られている。このようなノンカーボン複写紙を作成するに際しては、全面複写可能なノンカーボン複写紙に対して特定領域への記入事項を複写させるための帳票フォームを形成したり、予めその特定部分だけが複写可能なノンカーボン複写紙を特別に用意しておき、その特定部分にだけに複写させるための帳票フォームを形成することが一般的である。
【特許文献１】特開平９−９９６３９号公報
【特許文献２】特開平５−２７０１２１号公報
【特許文献３】特開平５−６１２３７号公報
【発明の開示】
【発明が解決しようとする課題】
【０００３】
しかしながら、全面複写可能なノンカーボン複写紙に対して特定領域への記入事項を複写させるための帳票フォームを形成した場合には、当該帳票に記入される際に記入領域以外に、記入時の接触や誤記等による不必要な文字やノイズ等が複写されてしまうという問題がある。
【０００４】
また、特定領域のみが複写可能なノンカーボン複写紙を用いる場合は、特定の帳票フォームに応じたノンカーボン部分とその他の部分とが固定された専用のノンカーボン複写紙を予め用意する必要がある。そのため、部分的に複写させるための帳票フォームが形成されたノンカーボン複写紙を少量かつ多種類作成するような場合には、そのような多様な帳票フォームが形成されたノンカーボン複写紙をすぐに準備することが難しく、かつ高コストになってしまうという問題も生ずる。
【０００５】
さらに、部分的に複写させるための専用の帳票フォームが形成されたノンカーボン複写紙を使用する場合、帳票のレイアウトを変更すると、旧レイアウトの帳票フォームを形成させるためのノンカーボン複写紙は使用することができず、廃棄等の処分をする必要がある。
【０００６】
さらにまた、特定の帳票を作成するためには、レーザビームプリンタ（ＬＢＰ）や電子複写機等の印刷装置に対して、手差し給紙等でその都度専用のノンカーボン複写紙を給紙したり、給紙トレイ中に所定のノンカーボン部分等が設けられた専用のノンカーボン複写紙紙を帳票フォームの種類に応じてそれぞれ準備する必要がある。
【０００７】
本発明は、このような事情を考慮してなされたものであり、汎用のノンカーボン複写紙に対して各種帳票フォームに応じて複写不可部分を好適に形成することができる印刷装置及びその制御方法並びにプログラムを提供することを目的とする。
【課題を解決するための手段】
【０００８】
上記課題を解決するために、本発明は、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置であって、
前記第１のノンカーボン紙からの複写を禁止する第１の領域を前記第２のノンカーボン紙の前記顕色剤が塗布された面側に設定する第１の設定手段と、
前記第２のノンカーボン紙上の前記第１の領域と面対称を成す第２の領域を前記第１のノンカーボン紙の前記発色剤が塗布された面側に設定する第２の設定手段と、
前記第１のノンカーボン紙の前記発色剤が塗布された面上の前記第２の領域に該印刷装置に蓄積されているトナーを塗布するトナー塗布手段と
を備えることを特徴とする。
【０００９】
また、上記課題を解決するために、本発明は、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置の制御方法であって、
前記第１のノンカーボン紙からの複写を禁止する第１の領域を前記第２のノンカーボン紙の前記顕色剤が塗布された面側に設定する第１の設定工程と、
前記第２のノンカーボン紙上の前記第１の領域と面対称を成す第２の領域を前記第１のノンカーボン紙の前記発色剤が塗布された面側に設定する第２の設定工程と、
前記第１のノンカーボン紙の前記発色剤が塗布された面上の前記第２の領域に該印刷装置に蓄積されているトナーを塗布するトナー塗布工程と
を有することを特徴とする。
【００１０】
さらに、上記課題を解決するために、本発明は、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷装置に印刷させるためのプログラムであって、
前記第１のノンカーボン紙からの複写を禁止する第１の領域を前記第２のノンカーボン紙の前記顕色剤が塗布された面側に設定する第１の設定手順と、
前記第２のノンカーボン紙上の前記第１の領域と面対称を成す第２の領域を前記第１のノンカーボン紙の前記発色剤が塗布された面側に設定する第２の設定手順と、
前記第１のノンカーボン紙の前記発色剤が塗布された面上の前記第２の領域に該印刷装置に蓄積されているトナーを塗布するトナー塗布手順と
を実行させることを特徴とする。
【発明の効果】
【００１１】
本発明によれば、汎用のノンカーボン複写紙に対して各種帳票フォームに応じて複写不可部分を好適に形成することができる。
【発明を実施するための最良の形態】
【００１２】
以下、図面を参照して、本発明の一実施形態に係る印刷装置を含む印刷システムの構成及び印刷動作について詳細に説明する。
【００１３】
図１は、本発明の一実施形態に係る印刷システムの構成を示すブロック図である。尚、本発明に係る印刷処理等の諸機能が実行されるものであれば、単体の機器であっても、複数の機器からなるシステムであっても、或いはＬＡＮ、ＷＡＮ等のネットワークを介して接続され処理が行われるシステムであっても良い。すなわち、以下の実施形態で説明する各種端末が接続されたシステム構成は一例であり、用途や目的に応じて様々な構成例があることは言うまでもない。
【００１４】
図１において、３０００はホストコンピュータであり、ＲＯＭ１０３、或いはハードディスク（ＨＤ）や着脱可能な可搬記憶媒体（例えば、フレキシブルディスク（ＦＤ））等の外部メモリ１１１には、ＣＰＵ１０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（ＯＳ）や、各サーバ或いは各ＰＣの実行する機能を実現するために必要な後述する各種プログラム等が記憶されている。本実施形態で使用するＯＳは、例えば、ウィンドウズＸＰ（マイクロソフト社製）を想定するが、これに限るものではない。
【００１５】
また、図１に示すホストコンピュータ３０００において、ＲＡＭ１０２は、ＣＰＵ１０１の主メモリやワークエリア等として機能する。尚、ＣＰＵ１０１は、処理の実行に際して必要なプログラム等をＲＡＭ１０２にロードして、プログラムを実行することで各種動作を実現する。
【００１６】
また、入力コントローラ（入力Ｃ）１０５は、キーボード（ＫＢ）１０９や不図示のマウス等のポインティングデバイスからの入力を制御する。さらに、ビデオコントローラ（ＶＣ）１０６は、ＣＲＴディスプレイ（ＣＲＴ）１１０等の表示器への表示を制御する。尚、表示器はＣＲＴだけでなく、液晶ディスプレイであっても構わない。これらは必要に応じて管理者が使用するものであって、本実施形態には直接関係があるものではない。
【００１７】
さらにまた、メモリコントローラ（ＭＣ）１０７は、ブートプログラム、ブラウザソフトウエア、各種のアプリケーション、フォントデータ、ユーザファイル、編集ファイル、各種データ等を記憶するハードディスク（ＨＤ）やフレキシブルディスク（ＦＤ）、或いはＰＣＭＣＩＡカードスロットにアダプタを介して接続されるコンパクトフラッシュ（登録商標）メモリ等の外部メモリ１１１へのアクセスを制御する。
【００１８】
通信Ｉ／Ｆコントローラ（通信Ｉ／ＦＣ）１０８は、ネットワークを介して外部機器と接続・通信するものであり、ネットワークでの通信制御処理を実行する。例えば、ＴＣＰ／ＩＰを用いたインターネット通信やプリンタ１５００との間でデータ送受信等が可能である。尚、ＣＰＵ１０１は、例えばＲＡＭ１０２内の表示情報用領域へアウトラインフォントの展開（ラスタライズ）処理を実行することにより、ＣＲＴ１１０上での表示を可能としている。また、ＣＰＵ１０１は、ＣＲＴ１１０上の不図示のマウスカーソル等でのユーザ指示を可能とする。
【００１９】
次に、ホストコンピュータとネットワーク１２１を介して接続されたプリンタ１５００において、ＣＰＵ１１２は、ＲＯＭ１１３のプログラム用ＲＯＭ１１３ｂに記憶された制御プログラム等や外部メモリ１１４に記憶された制御プログラム等に基づいて、システムバス１１５に対して印刷部インタフェース（Ｉ／Ｆ）１１６を介して接続される印刷部（プリンタエンジン）１１７に出力情報としての画像信号を出力する。また、プログラムＲＯＭ１１ｂのプログラム用ＲＯＭ１１３ｂには、ＣＰＵ１１２の制御プログラム等が記憶される。また、ＲＯＭ１１３のフォント用ＲＯＭ１１３ａには、上記出力情報を生成する際に使用するフォントデータ等を記憶する。さらに、ＲＯＭ１１３のデータ用ＲＯＭ１１３ｃには、ハードディスク（ＨＤ）やフレキシブルディスク（ＦＤ）等の外部メモリ１１４がないプリンタの場合に、ホストコンピュータ３０００上で利用される情報等も記憶される。
【００２０】
また、プリンタ１５００において、ＣＰＵ１１２は、入力部１１８を介してホストコンピュータ３０００との通信処理が可能となっており、プリンタ内の情報等をホストコンピュータ３０００に通知可能に構成されている。さらに、ＲＡＭ１１９は、ＣＰＵ１１２の主メモリであって、ワークエリア等として機能する。ここで、ＲＡＭ１１９は、図示しない増設ポートに接続されるオプションＲＡＭにより、メモリ容量を拡張することができるように構成されている。尚、ＲＡＭ１１９は、出力情報展開領域、環境データ格納領域、ＮＶＲＡＭ等にも用いられる。
【００２１】
前述したハードディスク（ＨＤ）、ＩＣカード等の外部メモリ１１４は、メモリコントローラ（ＭＣ）１２０によりアクセスが制御される。尚、外部メモリ１１４は、オプションとして接続され、フォントデータ、エミュレーションプログラム、フォームデータ等を記憶する。また、操作部１２２は、操作パネルを有しており、操作のためのスイッチやＬＥＤ表示器等が配置されている。
【００２２】
また、前述した外部メモリは１つに限られることはなく、少なくとも１つ以上備え、内蔵フォントに加えてオプションフォントカード、言語系の異なるプリンタ制御言語を解釈するプログラムを格納した外部メモリを複数接続できるように構成されていてもよい。さらに、図示しないＮＶＲＡＭを有し、操作パネルを備える操作部１２２からのプリンタモード設定情報を記憶するようにしてもよい。
【００２３】
本実施形態では、印刷機器制御プログラム（以下、「プリンタドライバ」という。）は外部メモリ１１１に記録されており、必要に応じてＲＡＭ１０２にロードされることによりＣＰＵ１０１によって実行される。さらに、本実施形態では、プリンタドライバが用いる定義ファイル及び各種情報テーブルは、外部メモリ１１１に格納されており、これらについての詳細な説明は後述する。
【００２４】
図２は、図１に示す印刷システムにおけるホストコンピュータ３０００においてプリンタ１５００に対して帳票を作成する処理を行わせる際の処理手順の概要を示すフローチャートである。尚、詳細については後述するが、本実施形態ではユーザはホストコンピュータ３０００とプリンタ１５００との通信を介して、以下で説明する帳票フォームの作成を行うものとする。
【００２５】
まず、ホストコンピュータ３０００において、帳票作成アプリケーションを用いてノンカーボン複写紙の１枚目に形成する帳票フォームを作成する（ステップＳ１０１）。
【００２６】
図３は、ホストコンピュータ３０００の帳票作成アプリケーションによる帳票作成画面の推移の様子を説明するための図である。ノンカーボン複写紙に帳票を印刷させたいユーザは、ホストコンピュータ３０００において帳票作成アプリケーションを起動すると、モニタ上に画面３０１を表示させ、ノンカーボン複写紙の１ページ目の表面に形成する帳票フォームを作成する。
【００２７】
次いで、帳票作成アプリケーションは、上記ノンカーボン複写紙の複写される側である２枚目において、２枚目に形成する帳票フォームを作成するとともに、複写を禁止する領域（複写禁止領域）を設定する（ステップＳ１０２）。すなわち、上記ユーザは、ホストコンピュータ３０００において帳票作成アプリケーションを操作して、モニタ上に画面３０２を表示させ、ノンカーボン複写紙の２ページ目の表面に形成する帳票フォームを作成する。尚、当該作成処理においては、その帳票フォームの全部或いは大部分を１ページ目の帳票フォームから複写等する処理も含む。また、２ページ目の帳票フォームの作成とあわせて、複写を禁止する領域（複写禁止領域）３０３を設定する。例えば、図３には、複写禁止領域３０３として網目模様が形成された矩形領域が設定されているが、模様の有無、種類、領域の形状等は本実施形態で示すものに限られず、アプリケーションによって任意に設定するようにしてもよい。
【００２８】
そして、ステップＳ１０２で２枚目のノンカーボン複写紙に設定された複写禁止領域に対応する１枚目のノンカーボン複写紙の裏面にプリンタ１５００においてトナーを塗布するためのジョブをステップＳ１０１で作成された帳票フォームを１枚目の表面に印刷するジョブとともにプリンタ１５００に送信する。すなわち、上記帳票作成アプリケーションは、ステップＳ１０３において、２枚目のノンカーボン複写紙に設定された複写禁止領域３０３に対応する１枚目のノンカーボン複写紙の裏面にプリンタ１５００においてトナーを塗布するためのトナー塗布領域を設定する。尚、ホストコンピュータ３０００のユーザは、モニタ上に、図３の画面３０４にトナー塗布領域３０５を確認することができる。また、マウス等のユーザインタフェースを用いてトナー塗布領域を修正、追加、削除等することも可能である。
【００２９】
一方、プリンタ１５００側では、全面複写可能なノンカーボン複写紙を給紙トレイ等に蓄積しておき、ホストコンピュータ３０００から送信されてきたジョブに基づいて、１枚目の表面にステップＳ１０１で作成された帳票フォームを形成し、１枚目の裏面には、当該帳票フォームに対応してステップＳ１０２で設定された２枚目の複写禁止領域に対応する部分にトナーを塗布し、出力する。尚、１枚目の表面に帳票フォームを形成する処理と裏面にトナーを塗布する処理については、いずれの処理を先に行ってもよい。
【００３０】
また、本実施形態で使用するトナーの種類については特に限定されることはなく、磁性体を含む磁性１成分トナー、磁性体を含まない非磁性１成分トナー、或いは２成分トナー等のいずれのトナーを用いても良い。
【００３１】
図４は、本実施形態に係る印刷装置によってトナー等が塗布される状態を説明するためのノンカーボン複写紙の概要断面図である。図４に示すように、ノンカーボン複写紙は１枚目のノンカーボン紙４０１と２枚目のノンカーボン紙４０２とから構成される。ノンカーボン紙４０１は、原紙４０３の片面に電子供与性発色剤を含有するマイクロカプセルを塗布して発色剤塗布層４０４として乾燥させ、原紙４０３の発色剤塗布層４０４の反対面に電子受容性顕色剤を塗布した顕色剤塗布層４０５とを設けて乾燥させることによって製造することができる。また、ノンカーボン紙４０２も原紙４０６の両面に同様にして発色剤塗布層４０７と顕色剤塗布層４０８とを設けて製造する。
【００３２】
図４に示すようなノンカーボン複写紙を用いて複写を行うには、１枚目のノンカーボン紙４０１の表面（すなわち、顕色剤塗布層４０５の上面）にペン等を用いて記入が行われることによって、その圧力が裏面の発色剤塗布層４０４に含まれるマイクロカプセルに伝わり、マイクロカプセルが破れて発色剤が染み出して２枚目のノンカーボン紙４０２の表面の顕色剤塗布層４０８の顕色剤と接触して複写されることとなる。
【００３３】
尚、本実施形態で使用するノンカーボン複写紙については、図４に示す構造を有するものだけに限られず、汎用のものであればよい。また、本実施形態において帳票フォームを印刷するためには、少なくとも片面に発色剤が塗布された発色剤塗布層４０４を有する第１のノンカーボン紙４０１と、少なくとも片面に顕色剤が塗布された顕色剤塗布層４０８を有する第２のノンカーボン紙４０２とを発色剤が塗布された面と顕色剤が塗布された面とが接触するように丁合して使用するノンカーボン複写紙であれば適用可能である。
【００３４】
このように、本実施形態では、部分的に複写を禁止するような帳票フォームを作成するに当たって、特別なノンカーボン複写紙を使用する必要はなく、全面が複写可能な汎用のノンカーボン複写紙を利用することができ、プリンタの給紙トレイ等に準備しておくノンカーボン紙も最低１種類あればよい。これにより、ノンカーボン紙の差し替えの手間や専用のノンカーボン紙を製造する必要がなくなり、無駄なコストの排除が可能となる。
【００３５】
そして、プリンタ１５００では図４に示すような構造を有するノンカーボン複写紙にトナーを塗布してトナー塗布領域を形成することとなる。図４において、トナー塗布層４０９は、１枚目のノンカーボン紙４０１の裏面（すなわち、発色剤塗布層４０４の下面）上に形成される。
【００３６】
次に、ホストコンピュータ３０００とプリンタ１５００とから構成される印刷システムにおける帳票作成処理の具体例について詳細に説明する。図５は、本発明の一実施形態に係る印刷システムにおける帳票作成処理の詳細を説明するためのフローチャートである。まず、ホストコンピュータ３０００からプリンタ１５００に対して、帳票作成のための接続要求情報を送信する（ステップＳ５０１）。プリンタ１５００は、ホストコンピュータ３０００から送信されてきた当該接続要求情報を受信する（ステップＳ５２１）。尚、本実施形態では、図１に示すように、ホストコンピュータ３０００はプリンタ１５００とローカル接続しているだけであるが、ホストコンピュータ３０００がＬＡＮ等のネットワークを介してい複数のプリンタと接続されているような場合は、上記接続要求情報に接続するプリンタの固有情報等を含めて特定するようにすればよい。
【００３７】
プリンタ１５００は上記接続要求情報を受信すると、ホストコンピュータ３０００に対して帳票レイアウト表示情報を送信する（ステップＳ５２２）。ホストコンピュータ３０００は、プリンタ１５００から送信されてきた帳票レイアウト表示情報を受信すると、その情報に基づいて帳票レイアウトをモニタ上に表示する（ステップＳ５０２）。そして、ユーザは、ホストコンピュータ３０００のモニタ上に表示された帳票レイアウトの編集操作を行って所望の帳票レイアウトを作成する（ステップＳ５０３）。そして、ホストコンピュータ３０００は、帳票レイアウトの編集操作が終了した後、編集操作に応じたイベント情報をプリンタ１５００に送信する（ステップＳ５０４）。
【００３８】
プリンタ１５００は、ホストコンピュータ３０００から送信されてきた当該イベント情報を受信すると（ステップＳ５２３）、ユーザによって行われた編集操作の種類を判別する（ステップＳ５２４）。その結果、当該イベントが複写禁止領域の設定に関する編集操作であると判別された場合は、まず、ノンカーボン複写紙の２枚目の表面への複写禁止領域の設定処理を行う（ステップＳ５２５）。次いで、２枚目の表面に設定された当該複写禁止領域に対して対称の領域となる１枚目の裏面の領域を計算する（ステップＳ５２６）。さらに、計算された１枚目の裏面の当該領域をトナー塗布領域として設定する（ステップＳ５２７）。そして、設定された複写禁止領域及びトナー塗布領域を帳票レイアウトに反映すべく、帳票レイアウト情報を更新する（ステップＳ５２９）。
【００３９】
一方、ステップＳ５２４において、文字設定や１枚目或いは２枚目のノンカーボン紙への帳票フォームの作成等の複写禁止領域設定処理を除いたその他の処理であると判定された場合は、各処理の内容に応じた処理が行われ（ステップＳ５２８）、当該処理に応じて帳票レイアウト情報を更新する（ステップＳ５２９）。
【００４０】
ステップＳ５２９で帳票レイアウト情報が更新された後、レイアウトの編集操作が終了したか否かを判定する（ステップＳ５３０）。その結果、ユーザによるホストコンピュータ３０００でのレイアウト編集操作が終了していない場合（ＮＯ）、例えば、ユーザが編集終了ボタンを押下せず、さらに続いて別の編集操作を行うような場合は、プリンタ１５００は、ステップＳ５２９で更新した帳票レイアウト情報をホストコンピュータ３０００に対して送信する（ステップＳ５３１）。
【００４１】
ホストコンピュータ３０００は、プリンタ１５００から送信されてきた帳票レイアウトを用いて、これまでモニタ上に表示された帳票レイアウトを新たに更新表示する（ステップＳ５０５）。その後、ホストコンピュータ３０００では、ステップＳ５０３に戻って、ユーザによる次のレイアウト編集操作の入力を待つ。
【００４２】
一方、ステップＳ５３０でレイアウトの編集操作が終了したと判定された場合（Ｙｅｓ）、プリンタ１５００は、変更後の帳票レイアウト情報を保存する旨を示す保存メッセージをホストコンピュータ３０００に送信し（ステップＳ５３２）、当該帳票レイアウト情報を保存する（ステップＳ５３３）。また、ホストコンピュータ３０００では、プリンタ１５００から送信されてきた保存メッセージを受信するとモニタ上に表示して（ステップＳ５０６）、ユーザに対して更新後の帳票レイアウト情報が保存されたことを報知する。
【００４３】
尚、上述した実施形態では、片面に発色剤が塗布された１枚目のノンカーボン紙の裏面だけにトナーを塗布することとしているが、それに加えて、２枚目のノンカーボン紙の顕色剤が塗布された面上に設定された複写禁止領域に、２枚目のノンカーボン紙と略同一色の色を塗布したり、所定のパターン・模様等を形成するようにしてもよい。これによって、１枚目のノンカーボン紙の裏面にトナーを塗布したにもかかわらず、１枚目のノンカーボン紙のトナー塗布層を透過した微量の発色剤と２枚目のノンカーボン紙の顕色剤との混合によるわずかな発色があった場合でも、その発色を見えにくくすることができる。
【００４４】
このように、１枚目のノンカーボン紙の裏面の発色剤塗布層に含まれるマイクロカプセルがペン圧等によって破れて発色剤が染み出した場合であっても、トナー塗布層の存在によって、当該発色剤が２枚目のノンカーボン紙の表面の顕色剤塗布層に含まれる顕色剤と接触することを防ぐことができる。これによって、任意にトナー塗布領域（すなわち、複写禁止領域）を設定することができる。
【００４５】
さらに、上述した実施形態では、片面に発色剤が塗布された１枚目のノンカーボン紙の裏面だけにトナーを塗布することとしているが、２枚目のノンカーボン紙の顕色剤が塗布された面上に設定された複写禁止領域上に、１枚目のノンカーボン紙の発色剤が塗布された面上にトナーを塗布したのと同様に、トナーを塗布するようにしてもよい。これによって、１枚目のノンカーボン紙の発色剤と２枚目のノンカーボン紙の顕色剤との混合による発色をより確実に抑えることができる。尚、２枚目のノンカーボン紙の顕色剤が塗布された面上に設定された複写禁止領域に、２枚目のノンカーボン紙と略同一色の色を塗布したり、所定のパターン・模様等を形成した上にさらに、トナーを塗布するようにしてもよい。
【００４６】
また、上記実施例では１枚目のノンカーボン紙の裏面に発色剤を塗布し、２枚目のノンカーボン紙に顕色剤を塗布した例で説明しているが、これに限らず、１枚目のノンカーボン紙の裏面に顕色剤を塗布し、２枚目のノンカーボン紙に発色剤を塗布しても良いし、ノンカーボン紙を３枚以上用いても良い。すなわち例えば３枚のノンカーボン紙を丁合いする場合であれば、１枚目のノンカーボン紙の裏面に発色剤を塗布し、２枚目のノンカーボン紙の１枚目と対向する面に顕色剤を塗布し、２枚目の反対側の面に発色剤を塗布し、３枚目のノンカーボン紙の２枚目と対向する面に顕色剤を塗布しても良く、４枚以上のノンカーボン紙を用いる場合も同様に塗布すれば良い。
【００４７】
上述したように、本実施形態に係るノンカーボン複写紙とレーザビームプリンタを活用して帳票フォームを印刷することで、従来はノンカーボン複写紙の制約や運用面での制約があったが、普通紙の帳票印刷と変わらないほど容易にノンカーボン複写紙への帳票印刷が可能である。
【００４８】
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００４９】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００５０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５１】
その場合、プログラムの機能を有していれば、オブジェクトコード、インタプリタにより実行されるプログラム、ＯＳに供給するスクリプトデータ等の形態であっても良い。
【００５２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５３】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００５６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５７】
【図１】本発明の一実施形態に係る印刷システムの構成を示すブロック図である。
【図２】図１に示す印刷システムにおけるホストコンピュータ３０００においてプリンタ１５００に対して帳票を作成する処理を行わせる際の処理手順の概要を示すフローチャートである。
【図３】ホストコンピュータ３０００の帳票作成アプリケーションによる帳票作成画面の推移の様子を説明するための図である。
【図４】本実施形態に係る印刷装置によってトナー等が塗布される状態を説明するためのノンカーボン複写紙の概要断面図である。
【図５】本発明の一実施形態に係る印刷システムにおける帳票作成処理の詳細を説明するためのフローチャートである。
【符号の説明】
【００５８】
１０１、１１２  ＣＰＵ
１０２、１１９  ＲＡＭ
１０３、１１３  ＲＯＭ
１０４、１１５  システムバス
１０５  入力コントローラ
１０６  ビデオコントローラ
１０７  メモリコントローラ
１０８  通信Ｉ／Ｆコントローラ
１０９  キーボード
１１０  ＣＲＴ（モニタ）
１１１  外部メモリ（ＨＤ、ＦＤ）
１１３ａ  フォントＲＯＭ
１１３ｂ  プログラムＲＯＭ
１１３ｃ  データＲＯＭ
１１４  外部メモリ（ＨＤ）
１１６  印刷部Ｉ／Ｆ
１１７  印刷部
１１８  入力部
１２０  メモリコントローラ
１２１  データ転送経路
１２２  操作部
１５００  プリンタ
３０００  ホストコンピュータ（クライアントコンピュータ）
【図１】
2006185358.tif 000003
【図２】
2006185358.tif 000004
【図３】
2006185358.tif 000005
【図４】
2006185358.tif 000006
【図５】
2006185358.tif 000007